(57)【要約】【課題】  既存のＩＰ電話ＴＡ装置を利用して、構内放送等を目的としたページング音声出力を可能とし、経済性およびサービス性の高いページング装置を提供する。【解決手段】  通信網３０とページング付加装置７０との間にＩＰ電話ＴＡ装置２０Ｂを設け、ＩＰ電話ＴＡ装置２０Ｂとページング付加装置７０との間を通信線７６で接続する。ＩＰ電話ＴＡ装置２０Ｂは、電話端末１０に接続されているＩＰ電話ＴＡ装置２０Ａと同じ装置であり、ＩＰ電話サーバ３２と同じＩＰ電話通信方式である。これにより、通信線７６を通じて行われるページング付加装置７０とＩＰ電話ＴＡ装置２０Ｂとの間の通信方式は、ＩＰ電話通信方式に依存しなくなる。【選択図】  図３
2007124143.tif 000002
【特許請求の範囲】
【請求項１】
通信網を用いて構内放送等を目的としたページング音声出力を行うシステムであって、
前記通信網に接続されたＩＰ電話サーバと、
前記通信網に接続され、前記ＩＰ電話サーバとの間で所定のＩＰ電話通信方式による通信を行う第１のＩＰ電話ＴＡ装置と、
前記通信網と通信線とに接続され、前記所定のＩＰ電話通信方式により前記ＩＰ電話サーバとの間で通信を行うとともに、前記通信網と前記通信線と間の通信方式変換を行う第２のＩＰ電話ＴＡ装置と、
前記通信線に接続され、前記第２のＩＰ電話ＴＡ装置との間で前記通信線を介して通信を行うページング付加装置とを備え、
前記ページング付加装置は、
前記ページング音声出力の開始を制御するページング接続機能を実現する手段と、
前記ページング音声出力の終了を制御するページング切断機能を実現する手段とを備えている、
ことを特徴とするページングシステム。
【請求項２】
請求項１において、
前記第２のＩＰ電話ＴＡ装置は、
ＩＰ電話サーバからの切断信号を受けるとアナログ信号の切断信号を前記ページング付加装置に送信する機能を有している、
ことを特徴とするページングシステム。
【請求項３】
請求項２において、
前記ページング付加装置は、
前記第２のＩＰ電話ＴＡ装置からアナログ信号の切断信号を受けると前記ページング切断機能を実現する、
ことを特徴とするページングシステム。
【請求項４】
通信網を用いて構内放送等を目的としたページング音声出力を行うシステムに用いられるページング付加装置であって、
前記システムは、
前記通信網に接続されたＩＰ電話サーバと、
前記通信網に接続され、前記ＩＰ電話サーバとの間で所定のＩＰ電話通信方式による通信を行う第１のＩＰ電話ＴＡ装置と、
前記通信網と通信線とに接続され、前記所定のＩＰ電話通信方式により前記ＩＰ電話サーバとの間で通信を行うとともに、前記通信網と前記通信線と間の通信方式変換を行う第２のＩＰ電話ＴＡ装置とを備えており、
前記ページング付加装置は、
前記通信線に接続され、前記第２のＩＰ電話ＴＡ装置との間で前記通信線を介して通信を行うものであり、
前記ページング音声出力の開始を制御するページング接続機能を実現する手段と、
前記ページング音声出力の終了を制御するページング切断機能を実現する手段とを備えている、
ことを特徴とするページング付加装置。
【請求項５】
請求項４において、
前記第２のＩＰ電話ＴＡ装置は、
ＩＰ電話サーバからの切断信号を受けるとアナログ信号の切断信号を前記ページング付加装置に送信する機能を有している、
ことを特徴とするページング付加装置。
【請求項６】
請求項５において、
前記ページング付加装置は、
前記第２のＩＰ電話ＴＡ装置からアナログ信号の切断信号を受けると前記ページング切断機能を実現する、
ことを特徴とするページング付加装置。
【発明の詳細な説明】
【技術分野】
【０００１】
本発明は、通信網を利用して構内放送等を目的としたページング音声出力を行うページングシステムに関するものである。
【背景技術】
【０００２】
構内交換機（ＰＢＸ）のサービス機能の１つにページングと呼ばれる機能がある。ＰＢＸを用いて構内放送を目的としたページング音声出力を行うページングシステムについて図１を用いて説明する。電話端末１０からページング音声出力を行う場合には、電話端末からページング装置に接続する特別な内線電話番号もしくは短縮番号ボタンを操作する。この番号をＰＢＸ５０がページングインタフェース部５４に接続する。これにより放送用アンプ６０を起動し、音声信号がスピーカ６２から出力される。構内放送が終了する場合、電話端末１０は受話器を置き切断するが、ＰＢＸ５０がその切断信号をページングインタフェース部５４に伝達し、放送用アンプ６０を切断し音声信号を止める。
【０００３】
近年、VoIP技術により音声をＩＰパケットに変換し、電話会社の一般加入電話交換機を使用せず、通信網を経由して音声通信を行うＩＰ電話サービスが利用されはじめている。これに伴い、通信網を用いて構内放送を目的としたページング音声出力を行うページングシステムも利用されている。通信網を用いたページングシステムについて図２を用いて説明する。電話端末１０からページング音声出力を行う場合には、電話端末１０からページング付加装置４０に接続する特別な内線番号もしくは短縮番号ボタンを操作する。この番号は、ＩＰ電話ＴＡ装置２０で通信方式変換され、通信網３０を通して、ＩＰ電話サーバ３２によりページング付加装置４０に接続される。これにより放送用アンプ６０を起動し、音声信号がスピーカ６２から出力される。構内放送が終了した場合、電話端末１０は受話器を置き切断するが、ＩＰ電話用サーバ３２がその切断信号をページング付加装置４０に伝達し、放送用アンプ６０を切断し音声信号を止める。なお、通信網３０に直接接続可能なＩＰ電話端末１２の場合も同様である。
【特許文献１】特開２００４−２３５７５３号公報
【特許文献２】特開２００３−２３４８３９号公報
【特許文献３】特開２００２−３４４４０６号公報
【特許文献４】特開平１０−１３６４１２号公報
【特許文献５】特開平１０−１５５０２７号公報
【特許文献６】特開平７−９５２９７号公報
【特許文献７】特開平６−２６８７５２号公報
【特許文献８】特開平５−５５９８１号公報
【特許文献９】特開平５−５６１６７号公報
【非特許文献１】技術参考資料  電話サービスのインタフェース  第５版  日本電信電話株式会社
【発明の開示】
【発明が解決しようとする課題】
【０００４】
図２に示したページング付加装置４０はＩＰインタフェース部４２とページングインタフェース部４４を持っており、ＩＰインタフェース部４２はＩＰ電話サーバ３２との通信方式が同一でなければならない。ところがＩＰ電話サーバ３２は多数のメーカや通信事業者が異なるＩＰ電話通信方式で提供しており、ＩＰ電話サーバ３２とＩＰインタフェース部４２との通信方式は多数存在する。このため、ページング付加装置４０の機種を、ＩＰ電話サーバ３２との通信方式の数だけ用意しなくてはならず、ページング付加装置４０は特注品になる傾向があり、非常に高価な装置価格となり、場合によっては提供されない場合がある。
【課題を解決するための手段】
【０００５】
本発明によるページングシステムは、通信網を用いて構内放送等を目的としたページング音声出力を行うシステムであって、
前記通信網(30)に接続されたＩＰ電話サーバ(32)と、
前記通信網(30)に接続され、前記ＩＰ電話サーバ(32)との間で所定のＩＰ電話通信方式による通信を行う第１のＩＰ電話ＴＡ装置(20A)と、
前記通信網(30)と通信線(76)とに接続され、前記所定のＩＰ電話通信方式により前記ＩＰ電話サーバ(32)との間で通信を行うとともに、前記通信網(30)と前記通信線(76)と間の通信方式変換を行う第２のＩＰ電話ＴＡ装置(20B)と、
前記通信線(76)に接続され、前記第２のＩＰ電話ＴＡ装置(20B)との間で前記通信線(76)を介して通信を行うページング付加装置(70)とを備え、
前記ページング付加装置(70)は、
前記ページング音声出力の開始を制御するページング接続機能を実現する手段と、
前記ページング音声出力の終了を制御するページング切断機能を実現する手段とを備えている、
ことを特徴とする。
【０００６】
また、上記ページングシステムにおいて、
前記第２のＩＰ電話ＴＡ装置(20B)は、
ＩＰ電話サーバ(32)からの切断信号(BYE)を受けるとアナログ信号の切断信号を前記ページング付加装置(70)に送信する機能を有している、
ことを特徴とする。
【０００７】
また、上記ページングシステムにおいて、
前記ページング付加装置(70)は、
前記第２のＩＰ電話ＴＡ装置(20B)からアナログ信号の切断信号を受けると前記ページング切断機能を実現する、
ことを特徴とする。
【０００８】
本発明によるページング付加装置は、通信網を用いて構内放送等を目的としたページング音声出力を行うシステムに用いられる装置であって、
前記システムは、
前記通信網(30)に接続されたＩＰ電話サーバ(32)と、
前記通信網(30)に接続され、前記ＩＰ電話サーバ(32)との間で所定のＩＰ電話通信方式による通信を行う第１のＩＰ電話ＴＡ装置(20A)と、
前記通信網(30)と通信線(76)とに接続され、前記所定のＩＰ電話通信方式により前記ＩＰ電話サーバ(32)との間で通信を行うとともに、前記通信網(30)と前記通信線(76)と間の通信方式変換を行う第２のＩＰ電話ＴＡ装置(20B)とを備えており、
前記ページング付加装置は、
前記通信線(76)に接続され、前記第２のＩＰ電話ＴＡ装置(20B)との間で前記通信線(76)を介して通信を行うものであり、
前記ページング音声出力の開始を制御するページング接続機能を実現する手段と、
前記ページング音声出力の終了を制御するページング切断機能を実現する手段とを備えている、
ことを特徴とする。
【０００９】
また、前記第２のＩＰ電話ＴＡ装置(20B)は、
ＩＰ電話サーバ(32)からの切断信号(BYE)を受けるとアナログ信号の切断信号を前記ページング付加装置(70)に送信する機能を有している、
ことを特徴とする。
【００１０】
また、上記ページング付加装置は、
前記第２のＩＰ電話ＴＡ装置(20B)からアナログ信号の切断信号を受けると前記ページング切断機能を実現する、
ことを特徴とする。
【発明の効果】
【００１１】
本発明では、通信網(30)とページング付加装置(70)との間に第２のＩＰ電話ＴＡ装置(20B)を設け、第２のＩＰ電話ＴＡ装置(20B)とページング付加装置(70)との間を通信線(76)で接続するようにした。そして第２のＩＰ電話ＴＡ装置(20B)は、ＩＰ電話サーバ(32)と同じＩＰ電話通信方式であるようにした。このようにすれば、通信線(76)を通じて行われるページング付加装置(70)と第２のＩＰ電話ＴＡ装置(20B)との間の通信方式は、ＩＰ電話通信方式に依存しなくなる。ゆえに、さまざまなＩＰ電話通信方式のＩＰ電話サーバとＩＰ電話ＴＡ装置の組み合わせに対して、同一のページング付加装置(70)で対応可能である。また、第２のＩＰ電話ＴＡ装置(20B)については、第１のＩＰ電話ＴＡ装置(20A)と同じ製品を用いることができ、独自の装置を準備する必要はなく、一般に流通し安価で購入できるＩＰ電話ＴＡ装置(20B)を用いることができるためコストを抑えることができる。
【００１２】
このように本発明によれば、既存のＩＰ電話ＴＡ装置を利用して、構内放送等を目的としたページング音声出力を可能とし、経済性およびサービス性の高いページングシステムを提供することができる。
【発明を実施するための最良の形態】
【００１３】
本発明の実施形態によるページングシステムの概略構成を図３に示す。このページングシステムは、通信網３０を用いて構内放送等を目的としたページング音声出力を行うものである。本システムの機能であるページング音声出力は、ページング付加装置７０と、ＩＰ電話ＴＡ装置２０Ｂを用いて実現される。ページング付加装置７０は、アナログインタフェース部７２とページングインタフェース部７４とを備えている。ＩＰ電話ＴＡ装置２０Ｂは、電話端末１０に接続されているＩＰ電話ＴＡ装置２０Ａと同じ装置である。ＩＰ電話ＴＡ装置２０Ｂは、ＩＰ電話サーバ３２と同じＩＰ電話通信方式である。ページング付加装置７０とＩＰ電話ＴＡ装置２０Ｂは、アナログインタフェース部７２を通して通信線７６で接続される。ページングインタフェース部７４は、放送用アンプ６０とアナログ信号（ライン信号）と制御線で接続される。
【００１４】
次に、本システムにおける通信方式について説明を行う。ＩＰ電話ＴＡ装置２０Ａおよび２０ＢとＩＰ電話サーバ３２は同一のＩＰ電話通信方式である。ＩＰ電話ＴＡ装置２０Ａおよび２０Ｂは既存の装置であり、製造メーカが、ＩＰ電話サーバ３２と接続検証を行い、接続を保証した後、装置生産を行っているものである。ページング付加装置７０とＩＰ電話ＴＡ装置２０Ｂの通信は一般のアナログ電話の通信方式である。切断時には「切断信号」を使用する。通信方式は非特許文献１（ＮＴＴの技術参考資料  電話サービスのインタフェース  第５版）で規定される。「切断信号」については非特許文献１の２５頁、３.４交換機の接続動作、３.４.１加入電話との交換接続動作、（６）通信の終了、（ａ）発信側先掛け（切断時）の２文目、「発信側端末の直流回路の開放に伴い、網は着信側端末に対し転極パルス（図中（６）’切断信号）を送出する」と同じ動作を行う。これにより、転極パルスにより相手からの切断を検知する機能を持つ端末で、相手からの切断を検知できるようにすることを目的としている。転極パルスの長さ（現在650msec）については、非特許文献１の１６頁、（ｂ）切断信号、（２）具体的な信号波形に示されているｔ１の時間（0.4−0.8s）に準ずる。これを図４に示す。本システムでは、図４に示すようなアナログの切断信号を出力するオプション機能をＩＰ電話ＴＡ装置２０Ｂが有しており、この機能をＯＮに設定する。ページング付加装置７０と放送用アンプ６０は一般の放送用アンプとの通信方式であるアナログ信号（ライン信号）とアンプ起動用制御線での通信方式である。
【００１５】
次に、本システムにより行われるページング音声出力について説明する。以下では、「ページング接続機能」と「ページング切断機能」とに分けて説明する。
（ページング接続機能）
ページング接続機能は、ページング付加装置７０が実行する機能である。電話端末１０が接続されているＩＰ電話装置端末２０Ａからページング音声出力を行う動作を図５のシーケンス図を参照しつつ説明する。
（１）  電話端末１０がページング用の電話番号（ここでは「１１」とする。）をダイヤルすると、電話端末１０が接続されているＩＰ電話用ＴＡ装置２０ＡがＩＰ電話サーバ３２に発呼信号（ＩＮＶＩＴＥ）を送信する。
（２）  ＩＰ電話サーバ３２は、番号「１１」の接続先であるＩＰ電話ＴＡ装置２０Ｂに発呼信号（ＩＮＶＩＴＥ）を送信する。
（３）  ＩＰ電話ＴＡ装置２０Ｂは、通常のアナログ電話信号である「呼出信号」をページング付加装置７０に送信する。
（４）  ページング付加装置７０は、「呼出信号」を受けた時点で、自動応答機能８１が動作し、「応答信号」をＩＰ電話ＴＡ装置２０Ｂに送信すると同時に放送用アンプ６０に起動信号を送り、ＩＰ電話ＴＡ装置２０Ｂからのアナログ信号を放送用アンプ６０の音声ラインに接続を行う。
（５）  「応答信号」を受けたＩＰ電話ＴＡ装置２０Ｂは、ＩＰ電話用信号である（ＯＫ）信号をＩＰ電話サーバ３２に送信する。
（６）  （ＯＫ）信号を受けたＩＰ電話サーバ３２は、ＩＰ電話ＴＡ装置２０Ａに（ＯＫ）信号を転送する。
（７）  確認信号（ＡＣＫ）がＩＰ電話ＴＡ装置２０Ａ、ＩＰ電話サーバ３２、ＩＰ電話ＴＡ装置２０Ｂに転送される。確認信号（ＡＣＫ）を受け取ったＩＰ電話ＴＡ装置２０Ａと２０Ｂは、ＩＰ音声デジタル信号の通信路を確立し、音声信号送信がＩＰ電話ＴＡ装置２０Ａから２０Ｂに対して開始される。
（８）  ページング付加装置７０は、上記（４）の時点でＩＰ電話ＴＡ装置２０Ｂからのアナログ信号を放送用アンプ６０の音声ラインに接続を行っており、最終的にＩＰ電話ＴＡ装置２０Ａの音声は放送用アンプ６０の音声ラインに送信されページング音声出力が実現される。
【００１６】
なお、発呼信号（ＩＮＶＩＴＥ）、（ｔｒｙｉｎｇ）、確認信号（ＡＣＫ）は、ＩＰ電話通信方式のＳＩＰ標準で規定される。ＳＩＰ標準とは、ＩＥＴＦ（The Internet Engineering Task Force）にて標準化されたＲＦＣ３２６１（ＳＩＰ：Session. Initiation Protocol, 2002/6）を指す。また、呼出信号、応答信号は、非特許文献１の２５ページ、３.４交換機の接続動作で規定される。
（ページング切断機能）
ページング切断機能は、ページング付加装置７０が実行する機能である。現在ページング音声出力を行っているＩＰ電話ＴＡ装置２０Ａから切断する動作を図６のシーケンス図を参照しつつ説明する。
（１）  ＩＰ電話ＴＡ装置２０Ａがページング音声出力を行っており、放送（ページング）が終了した場合、ＩＰ電話ＴＡ装置２０Ａに接続している電話端末１０の受話器を置く（または通話切ボタンを押す）。
（２）  ＩＰ電話ＴＡ装置２０Ａは、切断信号（ＢＹＥ）をＩＰ電話サーバ３２に送信する。
（３）  ＩＰ電話サーバ３２は、切断信号（ＢＹＥ）をＩＰ電話ＴＡ装置２０Ｂに送信する。
（４）  ＩＰ電話ＴＡ装置２０Ｂは、切断信号（ＢＹＥ）を受け、アナログ信号の「切断信号」をページング付加装置７０に送信する。
（５）  ページング付加装置７０は、「切断信号」を受けた時点で、自動切断機能８２が動作し、「終話信号」をＩＰ電話ＴＡ装置２０Ｂに送信すると同時に放送用アンプ６０を切断しさらに放送用アンプ６０の音声ラインの切断を行う。
（６）  「終話信号」を受けたＩＰ電話ＴＡ装置２０Ｂは、ＩＰ電話用信号である（ＯＫ）をＩＰ電話サーバ３２に送信する。
（７）  （ＯＫ）信号を受けたＩＰ電話サーバ３２は、ＩＰ電話ＴＡ装置２０Ａに（ＯＫ）信号を転送する。
（８）  切断のＯＫ信号を受け取ったＩＰ電話ＴＡ装置２０Ａ、２０Ｂは、ＩＰ音声デジタル信号およびアナログ信号の通信路を切断する。
（９）  以上でページング音声出力を行う以前の状態に戻る。
【００１７】
なお、切断信号（ＢＹＥ）、（ＯＫ）信号は、ＩＰ電話通信方式のＳＩＰ標準で規定される。また、切断信号、終話信号は、非特許文献１の２５ページ、３.４交換機の接続動作で規定される。
【００１８】
上述の「ページング接続機能」および「ページング切断機能」に際してページング付加装置７０内で行われる処理フローの一例を図７に示す。
【００１９】
図７に示すように、ページング付加装置７０は電源が投入される（ST100）と、ＩＰ電話ＴＡ装置２０Ｂからの「呼出信号」を受信するまで待機状態となる（ST110）。放送者が電話端末１０の受話器を上げて特番をダイヤルすると、ＩＰ電話ＴＡ装置２０Ｂから「呼出信号」がページング付加装置７０に送られてくる（ST120）。これに応答して、アンプ起動接点が閉じ（ST130）、約３秒後にチャイム音が送出される（ST140,ST150）。このチャイム音は受話器で確認できるので、チャイム音終了を確認しページング放送を行う（ST160）。
【００２０】
そして、ＩＰ電話ＴＡ装置２０Ｂからアナログ信号の「切断信号」がページング付加装置７０に送られてきた場合（ST170でYES）、または、電話端末１０の「＃」ボタンが押されたことを示す信号がＩＰ電話ＴＡ装置２０Ｂからページング付加装置７０に送られてきた場合（ST180でYES）、ページング付加装置７０は、回線切断処理（ST190）を行い、その後ふたたび待機状態（ST110）となる。
【００２１】
以上に説明したように、本発明の実施形態によるページングシステムでは、通信網３０とページング付加装置７０との間にＩＰ電話ＴＡ装置２０Ｂを設け、ＩＰ電話ＴＡ装置２０Ｂとページング付加装置７０との間を通信線７６で接続するようにした。そしてＩＰ電話ＴＡ装置２０Ｂは、電話端末１０に接続されているＩＰ電話ＴＡ装置２０Ａと同じ装置であり、ＩＰ電話サーバ３２と同じＩＰ電話通信方式であるようにした。このようにすれば、通信線７６を通じて行われるページング付加装置７０とＩＰ電話ＴＡ装置２０Ｂとの間の通信方式は、ＩＰ電話通信方式に依存しなくなる。ゆえに、さまざまなＩＰ電話通信方式のＩＰ電話サーバ３２とＩＰ電話ＴＡ装置２０Ａ，２０Ｂの組み合わせに対して、同一のページング付加装置７０で対応可能である。また、ＩＰ電話ＴＡ装置２０Ｂについては、独自の装置を準備する必要はなく、一般に流通し安価で購入できるＩＰ電話ＴＡ装置を用いることができるためコストを抑えることができる。
【産業上の利用可能性】
【００２２】
上述のように本発明は、ＩＰ電話通信方式に依存せず、さまざまなＩＰ電話サーバとＩＰ電話ＴＡ装置の組み合わせに対して適用および応用可能である。
【図面の簡単な説明】
【００２３】
【図１】ＰＢＸを用いた従来のページングシステムの概略構成を示す図
【図２】通信網を用いた従来のページングシステムの概略構成を示す図
【図３】本発明の実施形態によるページングシステムの概略構成を示す図
【図４】擬似切断信号の波形図
【図５】ページング接続機能のシーケンス図
【図６】ページング切断機能のシーケンス図
【図７】自動応答機能および自動切断機能のフローチャート
【図１】
2007124143.tif 000003
【図２】
2007124143.tif 000004
【図３】
2007124143.tif 000005
【図４】
2007124143.tif 000006
【図５】
2007124143.tif 000007
【図６】
2007124143.tif 000008
【図７】
2007124143.tif 000009